【事件の表示】
　特願２０１１−２１６２４３「状態表示・指示入力装置」拒絶査定不服審判事件〔平成２５年　４月２５日出願公開、特開２０１３−　７７１３４〕について、次のとおり審決する。
【結　論】
　本件審判の請求は、成り立たない。
【理　由】
１．手続の経緯
　本願は、平成２３年９月３０日の出願であって、平成２６年５月２６日付け手続補正が平成２６年１０月１５日付けで却下されるとともに同日付で拒絶査定がなされ（発送日：同月２１日）、これに対して平成２７年１月２０日に審判の請求がなされ、同時に手続補正がなされ、その後、同年１０月１３日付けで当審より拒絶理由が通知され、同年１２月２１日に手続補正がされるとともに意見書が提出されたものである。
２．本願発明
　本願の請求項１に係る発明（以下、「本願発明」という。）は、平成２７年１２月２１日付け手続補正書の特許請求の範囲に記載された次のとおりのものである。
　「外部装置の状態表示及び該外部装置への指示入力の受付を行う状態表示・指示入力装置であって、
　前記外部装置への指示に対応する複数のＧＵＩ部品を表示する表示部と、
　前記表示部に表示された前記複数のＧＵＩ部品の各々に対する選択操作を受け付ける入力部と、
　前記複数のＧＵＩ部品に対する予め事前登録された操作順序を、操作順序情報として記憶するデータ記憶部と、
　前記ＧＵＩ部品に対する前記選択操作が行われた際に、該選択操作が前記操作順序情報として記憶されている操作順序に該当するか否かを判断し、前記操作順序情報として記憶されている操作順序に該当する場合は、入力誘導動作として次に前記選択操作を行うべき前記ＧＵＩ部品を検出し、前記選択操作が前記操作順序情報として記憶されている操作順序に該当しない場合は、前記入力誘導動作を実行しない統括処理部と、
　前記統括処理部が検出した入力誘導動作に対応し、前記ＧＵＩ部品を前記表示部上で強調表示させる表示生成部と、
　を有することを特徴とする状態表示・指示入力装置。」
３．引用発明等
（１）　引用文献１、引用発明について
　平成２７年１０月１３日付けの拒絶理由通知に引用された、本願優先日前に公開された、特開平９−１５２９０８号公報（以下、「引用文献１」という。）には、図面とともに以下の記載がある（下線は当審において付与。以下同様。）。
ア　段落【０００１】〜【０００５】
「【０００１】
【発明の属する技術分野】本発明は、複数のプラント機器の運転状態に関する情報を、該プラント機器に対応したシンボルと共に表示して表示画面上にプラント系統図を構成するようにしたプラントの運転状態表示方法及び装置、プラント機器の運転状態及び故障等をＣＲＴや大画面スクリ−ン等の表示器上に表示して監視を行うプラント監視方法及び監視装置に関する。
【０００２】
【
従来の技術
そしてＣＲＴ表示画面にプラント機器を操作するための操作端を表示し、この操作端をタッチすることによってプラント機器を操作するようにしている
【０００３】
【発明が解決しようとする課題】しかし、上述した従来技術において、プラント系統図や操作端表示画面では、プラント機器の現在の状態値を表示するのみであって、運転員が本当に必要とする情報の提供がタイムリ−になされてはいなかった。
【０００４】しかるに、上記従来技術は、自動運転によるプラントを監視する運転員にとって必要な、これからどのプラント機器が、いつ操作されるかといった情報を、プラント系統図や操作端表示画面では確認できなかったため、運転員は他の情報提供手段により、前記のどのプラント機器が、いつ操作されるかといった情報を得る必要があり、運転員はかなりの負担を強いられていた。このため運転員によるプラントの監視は、精神的苦痛をともない、情報を誤ったり、誤判断したりする等といった問題があった。
【０００５】本発明は、このような事情に鑑みてなされたものであり、プラント系統図や操作端表示画面に、これからどのプラント機器がいつ操作されるかといった情報を付加することによって、
運転員によるプラントの
操作性を向上させる
ことができる
プラントの
操作・監視装置を提供することを目的とする
イ　段落【００２１】〜【００２９】
「【００２１】そこで本発明は、プラント系統図の表示画面上に、これらの運転員にとって必要かつ主要な情報であるどのプラント機器が、いつ操作されるかといった情報を付加することによって、プラント系統図の表示画面上に混在する必要な情報とそうでない情報とを明確かつ容易に区別して判別することができ、運転員の負担を軽減することができる。
【００２２】
また、プラント機器を操作するための操作端表示画面についても同様である
【００２３】
【発明の実施の形態】以下、本発明の実施の形態を図面を参照して説明する。
【００２４】先ず、本発明の実施の形態の一例を図１乃至図３を用いて説明する。
【００２５】図１は、本発明に係るプラントの運転状態表示装置の実施の形態の全体構成図である。同図において、
プラントの運転状態表示装置は、操作端操作順序処理部３と、操作順序データベース４と、画面加工処理部５と、画面表示
部６
画面表示部６
とを有して
【００２６】図示してない
プロセス入力手段により温度，圧力，流量やプラント機器の運転状態といったプロセス情報１を予め準備された定形画面情報
２に読み込
【００２７】
操作端操作順序処理部３は、
プロセス情報１と操作順序データベース４に格納してある操作端の操作順序を記述したデータを照合し、現在のプラントの進行状態を確認すると共に、現在のプラント進行状態と操作端の操作順序を記述したデータから次に操作される操作端を判定する処理を行な
（Ｓ１〜Ｓ３）
【００２８】
更に操作順序データベース４に格納された操作時間データ（ある操作端が操作されてから次の操作端が操作されるまでの時間を記述したデータ）と現在のプラント状態より次に操作される操作端が動作するまでの時間を計算する処理を行ない、その処理結果を画面加工処理部５に出力
（Ｓ４、Ｓ５）
【００２９】
画面加工処理部５は、
定形画面情報２を取り込み、操作端操作順序処理部３の処理結果を用いて次に操作される操作端の強調表示や次に操作される操作端が動作するまでの時間の表示を行なうよう画面情報を編集処理し、この処理結果を画面表示部６に出力
この結果、画面表示部６の画面には画面加工処理部５の処理結果が表示され
ウ　段落【００３０】〜【００３２】
「【００３０】図４は、図１に示した本発明の実施の形態に係るプラントの運転状態表示装置を使用したときの具体的な画面表示の一例を示した図である。
【００３１】従来、ＣＲＴ画面のプラント系統図には、プラント機器やプロセス量の現在の状態値を表示するのみであったが、本発明では、プラント系統図上において、これからどのプラント機器が操作されるかの表示を行う。ここでは、Ａポンプ，Ｂ弁，Ｅ弁に矢印を付加して表示し、どのプラント機器が操作されるか、すなわちＡポンプ，Ｂ弁，Ｅ弁が操作されることをわかるようにしている。表示を強調する方法として、ここでは、対象となるプラント機器に矢印を付加する方法をとっているが、他に他の記号を用いたり、プラント機器のシンボルの大きさを大きくしたりするなどの方法もある。また、図５に示すようにプラント系統図中にプラント機器操作手順表などを表示してもよい。
【００３２】どのプラント機器が操作されるかの表示については、つぎに操作される機器１つを表示してもよいし、シ−ケンスマスタやブレ−クポイントなどのあるひとまとまりの複数のプラント機器を表示してもよい。また、複数の機器の場合は、操作順序を表示してもよい。さらに、図６に示すようにプラント機器が操作されるまでの時間を表示してもよい。また、操作されるまでの時間のかわりにプラント機器が操作される時刻を表示してもよい。」
エ　段落【００３３】〜【００３４】
「【００３３】図７は、図１に示した本発明の実施の形態に係るプラントの運転状態表示装置を使用したときの他の
具体的な画面表示
【００３４】
調節制御ステ−ション操作，弁の開度設定操作，機器の起動・停止操作などをＣＲＴ表示画面及び操作キ−で行うＣＲＴオペレ−ション装置のＣＲＴ表示画面にこれからどのプラント機器が操作されるかの表示を行
ここでは、Ｂ弁の名称を枠で囲んで表示し、Ｂ弁が操作されることがわかるようにして
さらに、
プラント機器が操作されるまでの時間を表示してもよ
オ　段落【００４３】
「【００４３】
以上、図１〜１１により本発明に係るプラントの運転状態表示装置（プラントの操作・監視装置と共通する）の機能（処理）内容について説明した
カ　図７
　図７には、具体的な画面表示の例として、「Ａ弁」、「Ｂ弁」、「Ｃ弁」の枠内に、それぞれ、「開」と「閉」とを表示し、「Ｄポンプ」、「Ｅポンプ」の枠内に、それぞれ、「入」、「切」、「ロック」を表示し、「Ｆ弁」の枠内に「開」と「閉」とを表示したものにおいて、「Ｂ弁」の名称を枠で囲んで表示することが記載されていると認定できる。
　上記下線部及び関連箇所の記載によれば、図７の実施の形態に関し、引用文献１には、次の発明（以下、「引用発明」という。）が開示されているものと認められる。
　
「プラントの運転状態表示装置は、操作端操作順序処理部３と、操作順序データベース４と、画面加工処理部５と、画面表示部６とを有しており、
　プロセス入力手段により温度、圧力、流量やプラント機器の運転状態といったプロセス情報１を予め準備された定形画面情報２に読み込み、
　操作端操作順序処理部３は、プロセス情報１と操作順序データベース４に格納してある操作端の操作順序を記述したデータを照合し、現在のプラントの進行状態を確認すると共に、現在のプラント進行状態と操作端の操作順序を記述したデータから次に操作される操作端を判定する処理を行ない（Ｓ１〜Ｓ３）、
　更に操作順序データベース４に格納された操作時間データ（ある操作端が操作されてから次の操作端が操作されるまでの時間を記述したデータ）と現在のプラント状態より次に操作される操作端が動作するまでの時間を計算する処理を行ない、その処理結果を画面加工処理部５に出力し（Ｓ４、Ｓ５）、
　画面加工処理部５は、定形画面情報２を取り込み、操作端操作順序処理部３の処理結果を用いて次に操作される操作端の強調表示や次に操作される操作端が動作するまでの時間の表示を行なうよう画面情報を編集処理し、この処理結果を画面表示部６に出力し、この結果、画面表示部６の画面には画面加工処理部５の処理結果が表示され、
　具体的な画面表示において、
　調節制御ステ−ション操作、弁の開度設定操作、機器の起動・停止操作などをＣＲＴ表示画面及び操作キ−で行うＣＲＴオペレ−ション装置のＣＲＴ表示画面にこれからどのプラント機器が操作されるかの表示を行い、ここでは、
　「Ａ弁」、「Ｂ弁」、「Ｃ弁」の枠内に、それぞれ、「開」と「閉」とを表示し、「Ｄポンプ」、「Ｅポンプ」の枠内に、それぞれ、「入」、「切」、「ロック」を表示し、「Ｆ弁」の枠内に「開」と「閉」とを表示したものにおいて、
　「Ｂ弁」の名称を枠で囲んで表示し、Ｂ弁が操作されることがわかるようにしており、さらに、プラント機器が操作されるまでの時間を表示してもよい、
　プラントの運転状態表示装置。」
（２）　引用文献２について
　引用文献２（特開２００２−２１５２７８号公報）には、特に図２のフローチャートに関連して、以下の記載がある。
ア　段落【００２６】〜【００３３】
「【００２６】５は操作履歴取得部３から出力された現在の操作情報を含む操作履歴情報を検索し、その操作履歴情報からユーザによる次の操作を予測する操作予測部（予測手段）、６は操作予測部５の予測結果に基づいてＧＵＩを生成する予測ＧＵＩ生成部（ＧＵＩ生成手段）、７はアプリケーションプログラムのＧＵＩ定義を記憶するＧＵＩ定義記憶部、８は予測ＧＵＩ生成部６により生成されたＧＵＩと、モニタ１に表示されているＧＵＩとを合成して新たなＧＵＩ画面を生成するＧＵＩ画面合成部である。
図２はこの発明の実施の形態１によるユーザインタフェース生成方法を示すフローチャートである
【００２７】次に動作について説明する。操作履歴取得部３がアプリケーションプログラムの操作を監視し、
ユーザがキーボードやマウスなどの入力装置２を使用して、アプリケーションプログラムを操作すると
その操作情報を操作履歴記憶部４に出力する（ステップＳＴ１）
【００２８】操作予測部５は、操作履歴取得部３から出力された
現在の操作情報と操作履歴記憶部４に記憶されている操作履歴情報を比較し、直前の操作が操作履歴に含まれているか否かを判定する（ステップＳＴ２
直前の操作が操作履歴に含まれていない場合には、ステップＳＴ６の入力待ちに移行する
直前の操作が操作履歴に含まれている場合には、現在の操作情報を含む操作履歴情報からユーザによる次の操作を予測する（ステップＳＴ３）
【００２９】予測ＧＵＩ生成部６は、操作予測部５がユーザによる次の操作を予測すると、次の操作を簡単に実行することが可能なＧＵＩを生成する（ステップＳＴ４）。ＧＵＩ画面合成部８は、予測ＧＵＩ生成部６により生成されたＧＵＩと、モニタ１に表示されているＧＵＩとを合成して新たなＧＵＩ画面を生成し、新たなＧＵＩ画面をモニタ１に表示する（ステップＳＴ５）。処理は次の操作の入力待ち状態となり、
入力操作があれば、ステップＳＴ１以降の処理を繰り返し実行する
【００３０】ここで、次の操作の予測処理について説明する。図３は操作履歴と予測ＧＵＩの一例を示す説明図である。操作履歴記憶部４には、ＧＵＩ名に対応する操作名にタイムスタンプ（操作が実行された時刻）が付加された操作情報、即ち、操作履歴情報が図３に示すように時系列順に並べて保存されている。
【００３１】図３の例では、
ＡのＧＵＩ画面が表示されている状態で、ユーザが表示メニューをクリックして「全体図」を選択すると
【００３２】予測ＧＵＩ生成部６は、操作予測部５が「グリッド表示」と「ズーム」の操作予測すると、例えば、ツールバー上のボタンＣを左から順に「グリッド表示」、「ズーム」に対応させてボタン名を変更する。なお、それらのボタンがクリックされたときは、それぞれメニュー「グリッド表示」、メニュー「ズーム」が選択されたときに実行される機能と同じ機能が実行される。
【００３３】以上で明らかなように、この実施の形態１によれば、操作履歴取得部３から出力された現在の操作情報を含む操作履歴情報を検索し、その操作履歴情報からユーザによる次の操作を予測するように構成したので、ユーザの操作性を高めることができるＧＵＩを提供することができる効果を奏する。」
イ　段落【００５２】
「【００５２】実施の形態９．上記実施の形態１〜８は、コンピュータソフトウェアのＧＵＩについて示したが、
家電、産業機器、携帯端末など、ソフトウェアでＧＵＩが構成されているものに対して適用してもよい
（３）　引用文献３について
　引用文献３（特開２００６−１６５８１１号公報）には、特に図９のフローチャートに関連して、以下の記載がある。
ア　段落【００７３】
「【００７３】
　押下ボタン検出手段１３ｅは、送受信手段１４を介して通知される受信情報に基づいて、リモコン装置Ｒにおいて操作ボタンが押下されたことを検出するものである。この押下ボタン検出手段１３ｅで操作ボタンが押下されたことを検出した場合、その旨を操作ボタン検索手段１３ｃに通知する。
  なお、押下ボタン検出手段１３ｅは、予め定めた操作ボタンが押下されたときのみ、操作ボタン検索手段１３ｃに対して、操作ボタンが押下されたことを通知することとする。例えば、「矢印キー（上、下、左、右）」が押下された場合は、ユーザが項目を選択しているときであると判定し、操作ボタン検索手段１３ｃに対して通知を行わず、「決定キー」が押下されたときのみ、操作ボタンが押下された旨の通知を行うこととする。
  また、押下ボタン検出手段１３ｅは、操作ボタン通知手段１３ｄにおいて通知した操作ボタンが押下されなかった場合には、操作ミスがあったと判定し、その旨を応答文生成手段１５に通知する。」
イ　段落【００７８】
「【００７８】
　操作データ登録手段１８は、放送波４又は通信回線５を介して、操作データＤＢａやリモコン制御情報ＤＢｂを取得して、記憶手段ＤＢに登録するものである。例えば、操作データ登録手段１８は、放送波４を介して放送されるデジタル放送に重畳されているＳＩ情報（Service Information，番組配列情報）から、操作データを取得することとしてもよい。
　なお、図１に示したように、電子機器２０が操作データＤＢａやリモコン制御情報ＤＢｂを、ＬＡＮを介して送信可能な機器である場合、
操作データ登録手段１８は、各電子機器２０から、操作データＤＢａやリモコン制御情報ＤＢｂを取得し、記憶手段ＤＢに登録することとする
ウ　段落【００８７】〜【００９６】
「【００８７】
［リモコン操作提示装置の動作］
  次に、図９を参照（適宜図３参照）して、リモコン操作提示装置の動作について説明する。
図９は、本発明に係るリモコン操作提示装置の動作を示すフローチャートである
なお、ここでは、リモコン操作提示装置１において、予め記憶手段ＤＢに、電子機器２０に対応する操作データＤＢａが登録されているものとし
・・・（中略）・・・
【００９４】
＜押下ボタン検出ステップ＞
  そして、リモコン操作提示装置１は、押下ボタン検出手段１３ｅによって、送受信手段１４を介して通知される受信情報により、
リモコン装置Ｒの操作ボタンが押下されたことを検出する（ステップＳ９）
【００９５】
＜操作完了判定ステップ＞
  そして、
押下ボタン検出手段１３ｅは、押下された操作ボタンが、予め定めた特定の操作ボタン（例えば、「決定キー」）であるかどうかを判定する（ステップＳ１０
ここで、押下された操作ボタンが、特定の操作ボタンでない場合（ステップＳ１０でＮｏ）、リモコン操作提示装置１は、ステップＳ９に戻って、押下ボタン検出手段１３ｅによって、次に操作ボタンが押下されるまで待機する
  
一方、押下された操作ボタンが、特定の操作ボタンである場合（ステップＳ１０でＹｅｓ）、リモコン操作提示装置１は、ステップＳ５に戻って、操作ボタン検索手段１３ｃによって、操作データＤＢａの中から、次に操作すべき操作ボタンを検索する。このステップＳ１０において、操作対象の操作ボタンが１つだけの場合は、当該操作ボタンが押下された段階で、ステップＳ５に戻ることとする
  なお、操作ボタン検索手段１３ｃにおいて、次に操作すべき操作ボタンが検索されなかった場合（ステップＳ６でＮｏ）、リモコン操作提示装置１は、一連の操作が完了したものとして動作を終了する。
【００９６】
  
以上の動作によって、リモコン操作提示装置１は、ユーザからの電子機器２０の操作に関する質問を解析し、リモコン装置Ｒにおいて操作ボタンの操作順序を提示することができる
（４）　引用文献４について
　引用文献４（特開２００１−１９５１６５号公報）には、以下の記載がある。
ア　段落【００２９】
「【００２９】
【課題を解決するための手段】前記目的を達成するための発明として、本発明者は、特許請求の範囲の各請求項を要旨とする、いくつかの方法、装置、記録媒体に関する発明を創案したが、そのうちの代表的なものについて概説すると、ソフトウェアの利用用途を表示装置の画面上にメニュー形式で表示し、前記メニュー上で用途が選択されると、
あらかじめ登録されている操作手順に従って、次に操作すべきＧＵＩ（グラフィカルユーザインタフェース）部品を画面上で他から目立つ表示形態で表示する処理を順次行うことで、前記用途を実現する操作手順を誘導する、というものである
イ　段落【００９０】
「【００９０】
図７に示す例は、操作対象部品を枠で囲むことによって目立たせており
図８の例では、操作対象部品を矢印で指し示すことによって目立たせている。いずれの例においても、次に操作すべき部品を目立たせているので、ユーザは次にどの部品を操作すればいいのかが容易にわかる
これ以外にも、表示色を変更して強調する、表示文字を輝度反転する等、部品を画面上で目立たせることができるものであれば任意の手法が用いられる
（５）　引用文献５について
　引用文献５（特開平８−３２８６２０号公報）には、以下の記載がある。
ア　段落【０００２】〜【０００３】
「【０００２】
【従来の技術】
工場内における各種ＦＡ機器のデータのモニタリングや制御等に使用される表示装置
【０００３】このため、このような表示装置では、本装置に外部接続したツール端末等により予めアプリケーション画面を作成して、そのアプリケーション画面情報を本装置にダウンロードし、本装置ではアプリケーション画面情報メモリ等がそのアプリケーション画面情報を記憶し、本装置へのアプリケーション画面切替え信号の入力によってそのメモリからアプリケーション画面情報を順次読出して切替え表示するようにしている。」
イ　段落【００２１】〜【００２４】
「【００２１】図１に、本発明に係る表示装置の構成を示す。
【００２２】
この表示装置１は、ユーザプログラムの実行によりスイッチや、センサ等の被動作機器の動作を制御するプログラマブルコントローラ（ＰＬＣ）２の表示装置として機能するプログラマブルターミナル（ＰＴ）１であって
【００２３】プログラマブルターミナル１は、主に表示制御手段として機能するＣＰＵ１１と、ＣＰＵ１１の動作プログラムが格納されたプログラムＲＯＭ１２と、ワークメモリ１３と、ＶＲＡＭ１４と、アプリケーション画面情報が格納されるアプリケーション画面情報メモリ１５と、ガイド画面情報が格納されるガイド画面情報メモリ１６と、
タッチスイッチにより入力可能なタッチパネル式表示画面を有する表示部１７と、表示画面上のタッチスイッチの押下により当該スイッチに応じた信号をＣＰＵ１１に入力する入力処理部１８
【００２４】ツール端末３は、後述するようにプログラマブルターミナル１の表示部１７上に表示すべきアプリケーション画面およびガイド画面を作成して、そのアプリケーション画面情報およびガイド画面情報をプログラマブルターミナル１にダウンロードするように構成されている。」
４．対比
　本願発明と引用発明とを対比する。
　
（１）　引用発明の「Ａ弁」や「Ｄポンプ」などの「プラント機器」は、「具体的な画面表示において、調節制御ステ−ション操作、
弁
機器
　引用発明の「ＣＲＴオペレ−ション装置」が、「プロセス入力手段により温度、圧力、流量や
プラント機器の運転状態といったプロセス情報１を予め準備された定形画面情報２に読み込み
定形画面情報２を取り込み
次に操作される操作端の強調表示
を行なうよう画面情報を編集処理し、この処理結果を画面表示部６に出力し
外部
  また、引用発明の「ＣＲＴオペレ−ション装置」が、「調節制御ステ−ション操作、
弁の開度設定操作、機器の起動停止操作などをＣＲＴ表示画面及び操作キ−で行う
外部
　よって、引用発明の「ＣＲＴオペレーション装置」は、本願発明の「
外部
外部
（２）　引用発明の「画面表示部６（ＣＲＴ表示画面）」が、「具体的な画面表示において、・・・『Ａ弁』、『Ｂ弁』、『Ｃ弁』の枠内に、それぞれ、『開』と『閉』とを表示し、『Ｄポンプ』、『Ｅポンプ』の枠内に、それぞれ、『入』、『切』、『ロック』を表示し、『Ｆ弁』の枠内に『開』と『閉』とを表示」することは、Ａ弁、Ｂ弁、Ｃ弁、Ｄポンプ、Ｅポンプ、Ｆ弁という装置の名称と、それらの枠内に表示される、開、閉、入、切、ロックとはいずれも画面表示を構成する「表示部品」といえるから、本願発明の「前記
外部
対応
ＧＵＩ
（３）　引用発明のＣＲＴオペレ−ション装置の「ＣＲＴ表示画面及び操作キ−」は、「調節制御ステ−ション操作、
弁の開度設定操作、機器の起動・停止操作など
ＣＲＴ表示画面及び操作キ−で
前記表示部に表示された前記複数のＧＵＩ部品の各々に対する選択
（４）　引用発明の「操作順序データベース４」は、「操作端の
操作順序
前記複数のＧＵＩ部品に対する
（５）　引用発明の「操作端操作順序処理部３」は、「プロセス情報１と操作順序データベース４に格納してある操作端の操作順序を記述したデータを照合し、現在のプラントの進行状態を確認すると共に、現在のプラント進行状態と操作端の操作順序を記述したデータから
次に操作される操作端を判定する処理
次に操作される操作端が動作するまでの時間を計算する処理を行な
前記ＧＵＩ部品に対する前記選択操作が行われた際に、該選択操作が
に該当するか否かを判断し、
に該当する場合は、入力誘導動作として
前記ＧＵＩ部品
前記選択操作が
に該当しない場合は、前記入力誘導動作を実行しない統括
（６）　引用発明の「画面加工処理部５」は、「定形画面情報２を取り込み、操作端操作順序処理部３の処理結果を用いて次に操作される操作端の
強調表示
統括
入力誘導動作
ＧＵＩ
　
　したがって、本願発明と引用発明との一致点・相違点は次のとおりである。
＜一致点＞
「装置の状態表示及び該装置への指示入力の受付を行う状態表示・指示入力装置であって、
　前記装置への指示に関連する複数の表示部品を表示する表示部と、
　操作を受け付ける入力部と、
　予め事前登録された操作順序を、操作順序情報として記憶するデータ記憶部と、
　前記操作順序情報として記憶されている操作順序に基づいて、次に操作を行うべきものを検出する、処理部と、
　前記処理部が検出したものに対応し、前記表示部品を前記表示部上で強調表示させる表示生成部と、
　を有することを特徴とする状態表示・指示入力装置。」
　
＜相違点１＞
　「状態表示・指示入力装置」に関して、本願発明は、「外部装置」に対する状態表示及び「該外部装置」への指示入力の受付を行うのに対して、引用発明は、Ａ弁やＤポンプなどの「プラント機器」に対する状態表示、指示入力の受付を行うものであって、「外部装置」に対するものではない点。
＜相違点２＞
　「表示部」に関して、本願発明は、「前記
外部
対応
ＧＵＩ部品
＜相違点３＞
　「入力部」に関して、本願発明は、「
前記表示部に表示された前記複数のＧＵＩ部品の各々に対する
ＣＲＴ表示画面及び操作キ−で
ＧＵＩ
＜相違点４＞
　「データ記憶部」に関して、本願発明は、「
前記複数のＧＵＩ部品に対する
＜相違点５＞
　「処理部」に関して、本願発明は、「統括処理部」であって、「前記ＧＵＩ部品に対する前記選択操作が行われた際に、該選択操作が前記操作順序情報として記憶されている操作順序に該当するか否かを判断し、前記操作順序情報として記憶されている操作順序に該当する場合は、入力誘導動作として次に前記選択操作を行うべき前記ＧＵＩ部品を検出し、前記選択操作が前記操作順序情報として記憶されている操作順序に該当しない場合は、前記入力誘導動作を実行しない」ものであるのに対して、引用発明は、「操作端操作順序処理部３」であって、「プロセス情報１と操作順序データベース４に格納してある操作端の操作順序を記述したデータを照合し、現在のプラントの進行状態を確認すると共に、現在のプラント進行状態と操作端の操作順序を記述した
データから次に操作される操作端を判定する処理
＜相違点６＞
　「表示生成部」に関して、本願発明は、「前記
統括
入力誘導動作
ＧＵＩ
統括
入力誘導動作
５．当審の判断
＜相違点１＞について
  引用発明の「運転状態表示装置」が制御する「プラント機器」は、運転状態表示装置に対して「外部」の「装置」であるから、「外部装置」と呼ぶ点は、当業者が適宜なし得ることである。
　仮に、引用発明の「プラント機器」は、本願発明における「外部装置」ではないとしても、一般に、工場やプラント等で産業機器のモニタリングや制御を行う場合に、別体の表示装置から、プログラマブルコントローラ（ＰＬＣ）などの「外部装置」を経由して、機器のモニタリングや制御を間接的に行う構成は、慣用されているから（引用文献５の段落【０００２】、【００２２】（上記３（５）ア、イ）を参照。）、引用発明において、別体の表示装置から、プログラマブルコントローラ（ＰＬＣ）などの「外部装置」を経由して、機器のモニタリングや制御を行う上記慣用技術を採用することで、引用発明の運転状態表示装置が、「外部装置」を制御する、相違点１に係る構成とすることは、当業者が容易に推考し得ることである。
＜相違点２＞−＜相違点４＞について
　上記「＜相違点１＞について」に記載のとおり、引用発明の運転状態表示装置が、「外部装置」を制御する構成とすることは、当業者が容易に推考し得ることである。
　一般に、表示部にＧＵＩ部品を表示することで、タッチ入力などによりＧＵＩ部品を選択する入力部としても兼用することは、慣用されている（引用文献１の段落【０００２】（上記３（１））「【
従来の技術
そしてＣＲＴ表示画面にプラント機器を操作するための操作端を表示し、この操作端をタッチすることによってプラント機器を操作するようにしている
  よって、「具体的な画面表示において・・・『Ｂ弁』・・・の枠内に、・・・『開』と『閉』とを表示し・・・たものにおいて、『Ｂ弁』の名称を枠で囲んで表示し、Ｂ弁が操作されることがわかるようにして」いる、引用発明において、機器等の操作のための入力を、「ＣＲＴ表示画面及び操作キ−で行う」ことに替えて、表示部にＧＵＩ部品を表示することで、タッチ入力などによりＧＵＩ部品を選択する入力部としても兼用する慣用技術を採用して、
引用発明の「表示部」を、「前記外部装置への指示に対応する複数のＧＵＩ部品を表示する」ものとし、引用発明の「入力部」を、「前記表示部に表示された前記複数のＧＵＩ部品の各々に対する選択操作を受け付ける入力部」とすると共に、この際、実際の機器に対する操作（例えば「Ｂ弁を開くこと」）と、ＧＵＩ部品に対する操作（例えば「Ｂ弁を開く」と表示されたボタンを選択すること）とを、互いに対応するように構成することによって、引用発明の「データ記憶部」を、「前記複数のＧＵＩ部品に対する予め事前登録された操作順序を、操作順序情報として記憶するデータ記憶部」とすることで、相違点２−４に係る構成とすることは、当業者が容易に推考し得ることである。
＜相違点５＞、＜相違点６＞について
　上記「＜相違点２＞−＜相違点４＞について」に記載のとおり、引用発明において、表示部にＧＵＩ部品を表示することで、タッチ入力などによりＧＵＩ部品を選択する入力部としても兼用する慣用技術を採用することによって、「前記ＧＵＩ部品に対する選択」操作を行うものとする点は、当業者が容易に推考し得ることである。
　また、引用発明の「次に操作される操作端の強調表示」は、このような「操作端表示画面に、これからどのプラント機器がいつ操作されるかといった情報を付加することによって、
運転員によるプラントの
操作性を向上させる
ことができる
プラントの
操作・監視装置を提供することを目的とする
　引用発明には、「操作端操作順序
処理部３
処理部５
　一般に、次の操作を予測する処理を実装する場合の具体的な手順として、上記引用文献２（図２のフローチャート参照）、引用文献３（図９のフローチャート参照）に記載されるように、
　操作が行われたことを契機として（引用文献２、「操作入力発生」に基づくステップＳＴ１「操作情報の取得」への遷移、引用文献３、ステップＳ９「操作ボタンの押下を検出」を参照）、
　その操作が所定の順序に該当するか否かを判断し（引用文献２、ＳＴ２「直前操作が履歴に存在するか判定」、引用文献３、Ｓ１０「特定操作ボタン押下？」）、
　該当する場合（引用文献２、ＳＴ２で「存在する」場合、引用文献３、Ｓ１０で「Ｙｅｓ」の場合）、次の操作を予測する処理を実行し（引用文献２、ＳＴ３「操作の予測」、引用文献３、Ｓ５「操作データから操作対象となる操作ボタンを検索」）、
　該当しない場合（引用文献２、ＳＴ２で「存在しない」場合、引用文献３、Ｓ１０で「Ｎｏ」の場合）、次の操作を予測する処理を実行しない（引用文献２、ＳＴ３は実行されない、引用文献３、Ｓ５は実行されない）、
という一連の手順は、周知技術である。
　引用発明の「現在のプラント進行状態と操作端の操作順序を記述したデータから次に操作される操作端を判定する処理」について、引用文献１に、具体的な処理の手順は明記されていない。
　しかし、引用発明において、「プロセス入力手段により温度、圧力、流量や
プラント機器の運転状態
　また、引用発明は、ＧＵＩ部品を、例えば「Ｂ弁
の名称
　さらに、本願発明の効果も、引用発明及び周知技術に基づいて、当業者が予測し得る範囲内のものである。
　
６．むすび
　したがって、本願発明は、引用発明、及び、周知技術に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。